(57)【要約】【課題】試用見本品とこれに対応する販売商品等を陳列棚に纏めて陳列保管でき、購入者にとっては購入品の取り出しを簡単にしながら、ストックしている販売商品の大量的な盗難を簡単に防止でき、またその補充も容易であるようにする。【解決手段】上下方向で複数段にして棚受板３を介して販売商品Ｇを配置する陳列棚１において、棚受板３には、固定フレーム４を介して設けたスライド手段５によって陳列棚１の前後に沿ってスライドする商品陳列台１０を配する。この商品陳列台１０は、商品の試用見本Ｔを陳列する見本商品陳列部１１を前部に、上段位の商品陳列台１０等によって上部開口部分が閉塞されていて、試用見本品Ｔに対応して販売される販売商品Ｇを保管するボックス状の商品ストック部１３を後部にそれぞれ区画形成すると共に、スライド台９を介してスライド手段５上にセット固定する固定部１４を底部に設けて成る。【選択図】図１
0003133074.tif 000002
【実用新案登録請求の範囲】
【請求項１】
上下方向で複数段にして販売商品を棚受板を介して配置する陳列棚において、棚受板には、スライド手段によって前後に沿ってスライドする商品陳列台を配してあり、この商品陳列台は、商品の試用見本品を陳列する見本商品陳列部を前部に、上段位で販売商品を配置している商品陳列台によって上部開口部分が閉塞されていて、試用見本品に対応して販売される販売商品を保管するボックス状の商品ストック部を後部にそれぞれ区画形成すると共に、スライド台を介してスライド手段上にセット固定する固定部を底部に設けて成ることを特徴とする商品陳列棚装置。
【請求項２】
見本商品陳列部は、前後で仕切片によって区画されて上下の段差が設定されている２段構成としてある請求項１に記載の商品陳列棚装置。
【請求項３】
商品ストック部は、試用見本品に対応して販売される販売商品を保管するに足りる容量を備え、商品陳列台自体が棚板の後方側に位置するとき、この商品ストック部の上部開口部分は上位の商品陳列台によって閉塞されるようにしてある請求項１または２に記載の商品陳列棚装置。
【請求項４】
スライド手段は、棚受板の前後で棚受板に係合配置される固定フレーム相互間で、並列させて掛け渡し固定してある請求項１乃至３のいずれかに記載の商品陳列棚装置。
【請求項５】
商品陳列台をスライド手段にて前方にスライドしたときの前方スライド状態を検知する検知手段を設け、この検知手段には商品陳列台が前方スライド状態にあることを警告する警報手段を連繋してある請求項１乃至４のいずれかに記載の商品陳列棚装置。
【考案の詳細な説明】
【技術分野】
【０００１】
この考案は、主として化粧品をそのテスト見本品（試用見本品）及びそれに対応して販売のために見本品後方にストックされる販売商品等を纏めて陳列でき、またその販売商品等の盗難防止、商品補充の容易性等も考慮された商品陳列棚装置に関する。
【背景技術】
【０００２】
従来から化粧品等の商品は、肌・皮膚等に直接に触れるから、商品の性質上、購入者にとっては実際上の使用感、色合いその他を試す必要があり、商品販売場所等ではその試用見本が陳列されている。また、これらの商品は、販売するためにも購入者がその購入商品を取り出しやすいようにある程度の数量でストックさせて陳列棚等に陳列されていることが必要である。一方、販売者側では販売後で空くことになるストック部分に商品を補充する必要もある。特に化粧品の場合には、主として女性が購入し、使用するから、商品更にはその陳列場所等で醸し出される美的な雰囲気も購買促進を図る上では重要なポイントとなっている。
【０００３】
ただ、こうした化粧品自体は、体裁が良好な美麗な容器・ケース等に収納されていて、比較的に小型でありながら高価なものであり、それ故、盗難の対象物として狙われることが比較的に多い。しかも、近時は単なる１品毎のいわゆる万引きではなく、グループで集団となって陳列棚から一時に大量に盗む窃盗団による被害が増加しているのが現状である。そこで、盗難防止のために、陳列棚には試用見本品及びこれに対応した商品の購入を申し込むための購入カードを置いておき、購入カードの持参者に例えば支払い会計のためのレジカウンター等で直接に購入商品を手渡すことも行われている。
【０００４】
こうすると、購入者にとっては購入カードをその都度持参しなければならず、販売者側では商品のストックヤードを別に設置する必要があるばかりでなく、購入カードと商品との照応作業が必要である等、購入者・販売者それぞれにとっても煩わしいものとなっている。特に、購入者をして煩わしさを感じさせると、販売の機会を失うことにもなりかねない。これを解消すべく、商品の盗難防止を図る盗難防止部材を商品陳列棚に設けたり（特許文献１参照）、また商品補充の容易性等を図るべく商品陳列棚を前後にスライドさせることとしたり（特許文献２参照）して、商品陳列棚に試用見本品、ストック商品等を纏めて陳列する工夫がなされている。
【特許文献１】特表平１１−５００６５４号公報
【特許文献２】特開２００６−８７７７７号公報
【考案の開示】
【考案が解決しようとする課題】
【０００５】
特許文献１に記載の盗難防止部材は、ベース部材上に、このベース部材上で前後にスライドする上部開放浅底ボックス状のラックユニットを配しておき、このラックユニットの商品ストック部分を盗難防止部材自体で覆うように着脱自在にすることで、正面からみてほぼ門字形を呈するように形成したものである。特許文献２に記載のスライド式陳列棚は、スライドトレー支持体に形成した溝状のガイド部に案内されるようにしたトレーを前後にスライド自在に組み付けて成るものである。
【０００６】
ところが特許文献１による盗難防止部材は、これの着脱が容易であると盗難防止に役立たないから、ラックユニットとの着脱手段の構造が複雑なものとなり、取り扱いがかえって面倒である。特許文献２によるスライド式陳列棚は、例えばトレー上に陳列される商品の補充を容易にするためにトレーを前方に引き出し、後部を開放するようにしているから、特に盗難防止が考慮されているわけではない。
【０００７】
そこでこの考案は叙上のような従来存した諸事情に鑑み案出されたもので、テスト用の試用見本品とこれに対応する販売商品、その所定のストック量分の商品等を陳列棚に纏めて陳列保管でき、購入者にとっては購入品の取り出しが簡単にできるようにしておきながら、ストック量分は簡単には盗難されないようにし、またその補充も容易であるようにする。それと共に、商品陳列保管部位において、商品群をこれの陳列部位の前方に引き出したときにおける販売商品の出し入れ、すなわち盗難容易な状態となっていることを警報し、販売者側に注意を喚起できるようにした商品陳列棚装置を提供することを目的とする。
【課題を解決するための手段】
【０００８】
上述した課題を解決するため、この考案にあっては、上下方向で複数段にして販売商品Ｇを棚受板３を介して配置する陳列棚１において、棚受板３には、スライド手段５によって前後に沿ってスライドする商品陳列台１０を配してあり、この商品陳列台１０は、商品の試用見本Ｔを陳列する見本商品陳列部１１を前部に、上段位で販売商品Ｇを配置している商品陳列台１０によって上部開口部分が閉塞されていて、試用見本品Ｔに対応して販売される販売商品Ｇを保管するボックス状の商品ストック部１３を後部にそれぞれ区画形成すると共に、スライド台９を介してスライド手段５上にセット固定する固定部１４を底部に設けて成る。
見本商品陳列部１１は、前後で仕切片１１Ａによって区画されて上下の段差が設定されている２段構成として構成することができる。
商品ストック部１３は、試用見本品Ｔに対応して販売される販売商品Ｇを保管するに足りる容量を備え、商品陳列台１０自体が棚板４の後方側に位置するとき、この商品ストック部１３の上部開口部分は上位の商品陳列台１０によって閉塞されるようにしてある。
スライド手段５は、棚受板３の前後で棚受板３に係合配置される固定フレーム４相互間で、並列させて掛け渡し固定しておくことができる。
商品陳列台１０をスライド手段５にて前方にスライドしたときの前方スライド状態を検知する検知手段２０を設け、この検知手段２０には商品陳列台１０が前方スライド状態にあることを警告する警報手段２１を連繋しておくことができる。
【０００９】
以上のように構成されたこの考案に係る商品陳列棚装置にあって、棚受板３上でスライド手段５によって前後にスライド自在にして商品陳列台１０を配置する。この商品陳列台１０では、前部の見本商品陳列部１１に陳列させた試用見本品Ｔによって購入者は販売商品Ｇの試用ができ、それを実際に購入する場合には商品陳列台１０の後部に区画形成した商品ストック部１３内から販売商品Ｇを取り出し、会計処理を済ませればよい。
商品陳列台１０における商品ストック部１３は、販売商品Ｇを保管するボックス状で、商品陳列台１０が後方位置にあるときでは上段位の商品陳列台１０によって上部開口部分が閉塞されることになり、購入者のやや無理な姿勢、例えば手指を無理にでも商品ストック部１３内に挿入することで、所定の販売商品Ｇを取り出すことができる。
また、商品陳列台１０自体を前方に引き出し、上部開口を大きく開放させない限り、内部保管の販売商品Ｇの多数のものの出し入れを困難にしている。そのために、商品陳列時では、販売商品Ｇ自体は簡単には取り出し不能な状態で保管され、例えば一時的にでも大量な販売商品Ｇの盗難をほぼ不能にさせる。
しかも、検知手段２０は、商品陳列台１０を前方に引き出したときの前方スライド状態を検知し、それを警報手段２１によって警告するから、販売者側に注意を喚起させ、例えば陳列部位で大量に販売商品Ｇを保管していても、それらの保管商品を一時に大量に持ち出そうとして商品陳列台１０を前方に引き出したとき、それを販売者側あるいは店内で警報させ、盗難の機会等を与えない。
また、商品陳列台１０における見本商品陳列部１１内の試用見本品Ｔと、商品ストック部１３内の販売商品Ｇとは対応しており、販売商品Ｇは試用見本品Ｔの後方位置に配置されることで、購入者は直ちに販売商品Ｇを手に取ることができ、購入者をしてその購買機会を喪失させない。
スライド手段５は、棚受板３に係合配置される前後の固定フレーム４に掛け渡し状に固定されており、この固定フレーム４によって棚受板３上に係合させること等で商品陳列台１０を簡単に配置構成させ、商品陳列販売場所における変更施工を簡単、能率的に行わさせる。
商品陳列台１０の見本商品陳列部１１における前後の上下２段構成は、試用見本品Ｔ、販売商品Ｇそれぞれを配置保持させることで、購入者をして販売商品Ｇを取り出しやすくし、これの購入機会を喪失させない。
【考案の効果】
【００１０】
この考案は以上説明したように構成されているため、テスト用の試用見本品Ｔとこれに対応する販売商品Ｇとを、しかも盗難を困難にした状態で所定のストック量分で保管させて陳列棚１に纏めて陳列保管できるから、盗難防止等のための販売商品Ｇを保管する他の別スペースを確保する必要がない。しかも上部開口が上段位の商品陳列台１０によって閉塞される商品ストック部１３を有しながらも、購入者にとっては大きな煩雑さが与えられることなく購入品の取り出しができ、また販売後に空く商品ストック部１３内への商品補充も容易である等の利点を備えている。
【００１１】
すなわちこれは、この考案において、上下方向で複数段にして配置する販売商品Ｇを棚受板３を介して配置するとき、スライド手段５によって棚受板３の前後に沿ってスライドする商品陳列台１０を配し、この商品陳列台１０は、商品の試用見本Ｔを陳列する見本商品陳列部１１を前部に、上段位の商品陳列台１０によって上部開口部分が閉塞されていて、販売商品Ｇを保管するボックス状の商品ストック部１３を後部にそれぞれ区画形成すると共に、スライド台９を介してスライド手段５上にセット固定する固定部１４を底部に設けて成るからである。これによって、購入者による試用見本品Ｔに対応した販売商品Ｇの取り出しを可能にしながら、保管する販売商品Ｇの盗難防止に役立つものとできる。
【００１２】
また、商品陳列台１０における商品ストック部１３は、試用見本品Ｔに対応して販売される販売商品Ｇを保管するに足りる容量を備え、商品陳列台１０自体が陳列部位の後方側に位置するとき、この商品ストック部１３の上部開口部分は上位の商品陳列台１０等によって閉塞されるようにしてある。そのため、販売商品Ｇを一時に大量に取り出そうとしても、商品陳列台１０を上位の商品陳列台１０等よりも前方に引き出さなければならず、しかもボックス状の商品ストック部１３の上方に販売商品Ｇを持ち上げなければならない面倒さがあって、盗難を困難な状態としているのである。
【００１３】
更には、商品陳列台１０をスライド手段５にて前方にスライドしたときの前方スライド状態を検知する検知手段２０を設け、この検知手段２０には商品陳列台１０が前方スライド状態にあることを警告する警報手段２１を連繋してあるから、例えば商品陳列台１０を前方に引き出し、後部の商品ストック部１３を大きく開放して、保管してある販売商品Ｇを大量に持ち出そうとしても、それを事前に販売者側に例えば警告音、点滅する警告灯等によって警告できる。したがって、一時的にでも、大量に持ち出そうとする例えば窃盗団による盗難を未然に防止でき、盗難被害を少なくすることができる。
【００１４】
商品陳列台１０前部における見本商品陳列部１１内の試用見本品Ｔと、同じく後部における商品ストック部１３内の販売商品Ｇとは対応しているから、購入者は試用見本品Ｔと同一の販売商品Ｇを商品陳列台１０における商品ストック部１３内から、手指の挿入等によって引き出すことで少量の販売商品Ｇであれば商品ストック部１３内から簡単に取り出すことができ、販売者にとってその販売の機会を逸することがない。そればかりでなく、従来のように販売商品Ｇを別の場所に保管するストックヤードの設置も必要なく、総じてその販売間接費用等を大きく節減できる利点もある。
【００１５】
見本商品陳列部１１における仕切片１１Ａによる２段構成は、試用見本品Ｔと販売商品Ｇとを同時に陳列配置可能なものとしても利用でき、購入者には販売商品Ｇを簡単に取り出すことができ、販売機会を逸することを少なくする。
【００１６】
更に、スライド手段５は、棚受板３に係合配置される前後の固定フレーム４に掛け渡し状に固定されているから、この固定フレーム４によって陳列棚１自体の上下方向で商品陳列台１０を簡単に多段的に配置構成でき、例えば商品陳列販売場所における商品陳列形態の変更施工を短時間で簡単、能率的に行うことができる。
【００１７】
尚、上記の課題を解決するための手段、考案の効果の項夫々において付記した符号は、図面中に記載した構成各部を示す部分との参照を容易にするためのものである。この考案は、これらの記載、図面中の符号等によって示された構造・形状等に限定されない。
【考案を実施するための最良の形態】
【００１８】
以下図面を参照してこの考案を実施するための最良の一形態を説明すると、図において示される符号１は陳列棚であり、図例のように例えば壁面等に固定された左右で一対の支柱２に穿設されている支持孔に棚受板３を上下方向に沿う適宜間隔で係合して連結固定してある。そして、支柱２それぞれに取り付けた左右で一対にして対峙している棚受板３相互間に掛け渡し状に係合配置する固定フレーム４及びスライド手段５によって商品陳列台１０を多段的に配置する。あるいは図示を省略した所定の棚板を棚受板３相互間に掛け渡し固定し、その上に商品陳列台１０をスライド手段５を介してセットできるようにしてもよい。
【００１９】
図示のように、この棚受板３には、固定フレーム４を介して設けられたスライド手段５によって陳列棚１自体の前後に沿ってスライドする商品陳列台１０を配してある。この商品陳列台１０は、スライド手段５に固定してあるスライド台９に着脱自在に連結されており、商品の試用見本品Ｔを前部に陳列配置し、この試用見本品Ｔに対応していて、販売される販売商品Ｇを所定量で後部にストックしてある。
【００２０】
スライド手段５自体は、陳列棚１自体における前後に沿って商品陳列台１０をスライドさせるように構成されている。すなわち、棚受板３における前後縁部相互間それぞれで架け渡して固定配置されるように、互いに平行している前後の固定フレーム４相互間で適当間隔毎に複数のスライド手段５自体を並列配置して、固定フレーム４相互間で複数の商品陳列台１０を複数列でセットできるようにしてある。このように棚受板３の前後長さに対応した間隔で配置される固定フレーム４相互間でスライド手段５を掛け渡し固定しておくことで、陳列棚１における支柱２に固定した複数対の棚受板３に簡単に設置できる利点が得られる。尚、図例にあっては、固定フレーム４の端部でスライド自在に出没するＬ字状に折曲形成した係合片４Ａによって棚受板３に係合するようにして、棚受板３相互の取付間隔の若干の相違にも対応できるようにしてある。
【００２１】
また、図例にあってスライド手段５は、前後の固定フレーム４相互間で掛け渡し状に敷設されたガイドレール６と、このガイドレール６にボールベアリング等の滑動部材７を介してスライドするように嵌め合わせたスライドレール８とから成る。ガイドレール６は上方開放の断面で溝形を呈する長尺状に形成されており、スライドレール８は下方開放の断面で溝形を呈する長尺状に形成されていて、滑動部材７を介在させることで嵌め合いが離脱しないように相互に噛み合っており、互いに相対的に移動可能にしてある。また、スライドレール８には、スライド台９が固定される。
【００２２】
スライド台９は、図示のように上方に折曲された係止前片９Ａを前縁に、また同様に上方に折曲された係止後片９Ｂを後縁にそれぞれ設けることで側面から見て上方開放の溝形プレート状に形成されている。このスライド台９に商品陳列台１０がセットされるもので、その商品陳列台１０の底部がスライド台９に嵌め合わされる構成との関連で、図示にあっての係止後片９Ｂは係止前片９Ａに比しやや高く形成してある。
【００２３】
商品陳列台１０は、商品の試用見本品Ｔを陳列する見本商品陳列部１１を前部に、当該商品陳列部位における上段位の他の商品陳列台１０等によって上部開口部分が閉塞されていて、試用見本品Ｔに対応して販売される販売商品Ｇを保管するボックス状の商品ストック部１３を後部にそれぞれ区画形成すると共に、スライド台９上にセット固定する固定部１４を底部に設けて成り、図示にあってはやや横長ボックス状を呈する。また、見本商品陳列部１１と商品ストック部１３とは仕切壁１２によって区画されている。
【００２４】
見本商品陳列部１１は、商品陳列台１０自体の前部に試用見本品Ｔを陳列する上方開放の横長ボックス状に区画形成される。すなわち例えば複数種類の各種の化粧品見本が陳列され、後部の商品ストック部１３には見本商品陳列部１１内で陳列される化粧品見本それぞれの陳列位置に対応して、望ましくは同種商品がストックされるものとされる。また、この見本商品陳列部１１のボックス外壁となる側部は、前縁側が低く、後縁側に至るに伴い次第に高くなる傾斜縁としてあることで試用見本品Ｔの取り出し、戻し操作が容易にできるように配慮してある。
【００２５】
図１乃至図３における見本商品陳列部１１は、前後で仕切片１１Ａによって区画されて上下の段差が設定されている２段構成としてある。こうすることで前部の低位置の区画部位では実際に試用可能な試用見本品Ｔが、後部の高位置の区画部位では販売商品Ｇがそれぞれ保持収納されるものとして、試用、販売に便なるように配慮できる。
【００２６】
また図４における見本商品陳列部１１は、試用見本品Ｔのみが収納保持できるよう、段差がなく、前後にやや広い幅員の平坦面となっている１段構成のものとしてある。このような１段構成とすることで、大型の試用見本品Ｔであっても陳列保持でき、各種の大きさが異なる試用見本品Ｔを混在させて保持収納できる利点もある。
【００２７】
商品ストック部１３は、試用見本品Ｔに対応して販売される販売商品Ｇの販売に足りる所定量の販売商品Ｇを一時的に保管するもので、商品陳列台１０自体が陳列棚１の後方側に位置するとき、この商品ストック部１３の上部開口部分は上位の商品陳列台１０自体あるいは図示しない棚板等によって半ば閉塞されるようにしてある（図２参照）。ただ、商品ストック部１３の上部開口部分は、上位の商品陳列台１０等によって完全に閉塞されているものではなく、商品陳列台１０が後方位置にあるとき、例えば購入者等が前方から手指等を少々でも無理な状態で挿入して商品ストック部１３内の販売商品Ｇを取り出すことができる程度には開放されている空隙部分を形成している。
【００２８】
また、商品陳列台１０を前方にスライド移動したときには、商品ストック部１３自体の上部開口部分は上位の商品陳列台１０等の前縁から前方に位置して開放され、商品ストック部１３内の販売商品Ｇを直接に取り出すことができ、補充もできるようにしてある。商品ストック部１３内の販売商品Ｇは、見本商品陳列部１１における試用見本品Ｔの陳列位置に基本的には対応したそれの後方位置で保管されるようにしてある。商品ストック部１３における容量は、販売するに足りる販売商品Ｇの数量を確保できるものとされ、販売に伴い減少したときには補充が可能となるようになっている。
【００２９】
尚、このときの取り出し、補充のために開放される商品ストック部１３の上部開口の開放範囲は、商品ストック部１３の全域とするも、１個あるいは２・３個程度の販売商品Ｇの一部を取り出し可能とさせるに足りる程度のものとするも、引き出し長さの適度な調整設定によって対応させることで、いずれとなるようにしても良い。
【００３０】
固定部１４は、スライド台９における係止前片９Ａ、係止後片９Ｂそれぞれが商品陳列台１０の前後外側面で嵌り込むように下方開口の浅底ボックス状に形成されており、前壁外側面と係止前片９Ａとが、後壁外側面と係止後片９Ｂとがそれぞれ当接することで、商品陳列台１０はスライド台９上にしっかりと係合状態で固定されるようにしてある。この固定部１４の構成は、商品陳列台１０をスライド台９に着脱自在に、また商品陳列台１０を直接に操作することでスライド手段５、スライド台９を介して商品陳列台１０を前後に移動できるものとなっていれば良く、特に限定されるものではない。
【００３１】
また、図示を省略したが、スライド台９上に図示を省略した他の商品台をセットし、その商品台上に、商品陳列台１０を着脱自在に取り付けるようにすることも可能である。
【００３２】
更に、商品陳列台１０を前方にスライドしたとき、その前方スライド状態を検知し、その警告を発する警報手段２１が設けられている。すなわち、図示のようにスライド手段５にて前方にスライドしたときの前方スライド状態を検知する検知手段２０を設け、この検知手段２０には商品陳列台１０が前方スライド状態にあることを警告する警報手段２１を連繋してある。
【００３３】
図示の検知手段２０は、例えばスライド手段５におけるガイドレール６と、スライド台９における係止後片９Ｂとに、相互に離間したときの離間状態を検出する非接触の離間センサーを対状にして配置してある。また警報手段２１は、例えば陳列棚１における支柱２の上部等に取り付けた例えば点滅する警告灯とし、警告音を出力するブザーとしてあるも、これらに限るものではない。更にはこれらの検知手段２０、警報手段２１等はこれらに設けたスイッチあるいは遠隔制御等によって、そのＯＮ−ＯＦＦ操作を可能とすることもでき、例えば販売者等による商品の点検、補充その他に際し、これらの作動を一時的にでも停止できるようにしてある。
【００３４】
尚、図示を省略したが、検知手段２０によって商品陳列台１０が前方スライド状態を検知したとき、この移動した商品陳列台１０の近傍を撮影するカメラと連動し、その撮影した映像を記録保存するようにしても良い。こうすることで、防犯対策をより一層有効なものとできる。
【００３５】
次にこれの使用の一例を説明すると、左右一対の棚受板３相互間の幅員に対応した長さの固定フレーム４を、棚受板３自体の前後長さに対応した間隔で並列配置し、この前後の固定フレーム４相互間にスライド手段５を所定数で並列させて架け渡し状に固定配置する。そして、スライド手段５におけるスライドレール８にスライド台９を取り付けておく。こうしておいて、例えば上下方向の複数段で各種の販売商品Ｇを陳列するように構成される陳列棚１において、この陳列棚１における棚受板３相互間に固定フレーム４等を架け渡して、陳列棚１における上下方向で複数段の商品陳列部を配置構成する。
【００３６】
一方、販売すべき販売商品Ｇと、これに対応する試用見本品Ｔとを商品陳列台１０に陳列収容した商品陳列台１０をスライド台９に取り付け固定するもので、販売商品Ｇは後部の商品ストック部１３内に保管し、試用見本品Ｔは前部の見本商品陳列部１１に陳列する。この保管、陳列に際しては、スライド手段５によって商品陳列台１０を陳列棚１の前方側に引き出したときには上段位の商品陳列台１０等によっては邪魔されないように上部開口を開放させた位置になるように位置決めし、引き出し後の後部の商品ストック部１３内に多数の販売商品Ｇを収納保管する。また、試用見本品Ｔ自体は商品陳列台１０における前部の見本商品陳列部１１内に試用可能な状態で陳列配置する。そして、販売陳列時には、商品陳列台１０を陳列棚１の後方側に押し込んでおき、検知手段２０によって前方へのスライド状態の有無を検知できるようにする。このようにして、前面には見本商品陳列部１１のみが露出され、後部の商品ストック部１３は上段位の商品陳列台１０等によって半ば閉塞されているようにしておく。
【００３７】
商品を購入しようとする顧客は、前面に陳列配置されている試用見本品Ｔを試用し、これを購入することとした場合には、商品陳列台１０の後部の商品ストック部１３から少々な無理な手指等の挿入によってでも販売商品Ｇを取り出し、会計を済ませることで購入できる。
【００３８】
もし、商品ストック部１３内から例えば大量に販売商品Ｇを持ち出そうとして、商品陳列台１０を前方に引き出すと、検知手段２０、警報手段２１によってそれが検知され、所定の警報が出力され、それに対して販売者側で対処することで、盗難等を未然に阻止できる。
【００３９】
また、販売によって商品ストック部１３内から販売商品Ｇがなくなった場合には、検知手段２０、警報手段２１等の作動を一時的に停止させ、商品陳列台１０を前方に引き出し、開放される商品ストック部１３の上部開口から所定の販売商品Ｇを補充、保管する。
【００４０】
こうして販売陳列場所で保持される販売商品Ｇ自体は、上段位の商品陳列台１０等によって半ば閉塞される商品ストック部１３内に保管されることで、これを購入する顧客には１個ずつしか取り出すことができなくても、一度に大量に取り出すことは困難なものとさせることで、例えば大規模な窃盗団・グループ等による盗難を防止する。
【図面の簡単な説明】
【００４１】
【図１】この考案を実施するための最良の形態を示す分解斜視図である。
【図２】同じく側断面図である。
【図３】同じく平面図である。
【図４】同じく他の商品陳列台における側断面図である。
【符号の説明】
【００４２】
Ｇ…販売商品                            Ｔ…試用見本品
１…陳列棚                              ２…支柱
３…棚受板                              ４…固定フレーム
４Ａ…係合片                            ５…スライド手段
６…ガイドレール                        ７…滑動部材
８…スライドレール                      ９…スライド台
９Ａ…係止前片                          ９Ｂ…係止後片
１０…商品陳列台                        １１…見本商品陳列部
１１Ａ…仕切片                          １２…仕切壁
１３…商品ストック部                    １４…固定部
２０…検知手段                          ２１…警報手段
【図１】
0003133074.tif 000003
【図２】
0003133074.tif 000004
【図３】
0003133074.tif 000005
【図４】
0003133074.tif 000006